(57)【要約】【課題】  緊急時において優先して撮影と緊急通報とを実行できるように制御する画像撮影制御装置を実現する。【解決手段】  カメラ付き携帯電話機１２００に、操作入力キー１２１０に緊急撮影ボタン１２１３を設ける。緊急撮影ボタン１２１３が押下されたならば、撮影制限装置である携帯電話機１１００ａ，１１００ｂから撮影拒否信号を受信している場合であっても、撮影の機能制限は行わずに撮影を実行する。そして、警察又は消防の緊急通報受信サーバ装置１３００にアクセスし、撮影した画像を緊急通報情報５に含めて送信する。【選択図】  図１
2005136605.tif 000002
【特許請求の範囲】
【請求項１】
無線通信手段と、
ユーザによる撮影操作の入力に応じて電子的に画像を撮影する撮影手段と、
所定の緊急実行操作が入力された場合に、前記撮影手段に撮影を実行させ、前記無線通信手段に対して予め登録されている警察又は消防の送信先に前記撮影した画像を送信させる制御を行う緊急通信制御手段と、
を備えることを特徴とする画像撮影制御装置。
【請求項２】
緊急ボタンを備え、
前記所定の緊急実行操作は、前記緊急ボタンの押下操作である、
ことを特徴とする請求項１に記載の画像撮影制御装置。
【請求項３】
前記所定の緊急実行操作は、警察又は消防の緊急通報先電話番号の入力操作である、
ことを特徴とする請求項１に記載の画像撮影制御装置。
【請求項４】
無線通信手段と、ユーザによる撮影操作の入力に応じて電子的に画像を撮影する撮影手段と、を備えたコンピュータに、
所定の緊急実行操作が入力された場合に、前記撮影手段に撮影を実行させ、前記無線通信手段に対して予め登録されている警察又は消防の送信先に前記撮影した画像を送信させる制御を行う緊急通信制御機能、
を実現させるためのプログラム。
【請求項５】
無線通信手段と、
ユーザによる撮影操作の入力に応じて電子的に画像を撮影する撮影手段と、
通常撮影操作が行われた際は、外部から撮影拒否を受けているか否かを判断し、撮影拒否を受けていると判断した場合には前記撮影手段による撮影を制限させ、緊急撮影操作が行われた際は、外部から撮影拒否を受けているか否かにかかわらず、前記撮影手段に撮影を実行させ、前記無線通信手段に対して予め登録されている送信先に前記撮影した画像を送信させる制御を行う制御手段と、
を備えることを特徴とする画像撮影制御装置。
【請求項６】
無線通信手段と、ユーザによる撮影操作の入力に応じて電子的に画像を撮影する撮影手段と、を備えたコンピュータに、
通常撮影操作が行われた際は、外部から撮影拒否を受けているか否かを判断し、撮影拒否を受けていると判断した場合には前記撮影手段に撮影を制限させ、緊急撮影操作が行われた際は、外部から撮影拒否を受けているか否かにかかわらず、前記撮影手段に撮影を実行させ、前記無線通信手段に対して予め登録されている送信先に前記撮影した画像を送信させる制御を行う制御機能、
を実現させるためのプログラム。
【発明の詳細な説明】
【技術分野】
【０００１】
本発明は、電子的な画像撮影を制御する画像撮影制御装置等に関する。
【背景技術】
【０００２】
小型のデジタルカメラを内蔵した「カメラ付き携帯電話機」と称される携帯電話が開発され、日本国内のみならず世界中で急速に普及している。カメラ付き携帯電話機は、電話機能（通話機能）に加えて、被写体を電子的に撮影できる撮影機能を備えており、ユーザはあたかもデジタルカメラのようにして自由に被写体を撮影し、撮影したデジタル画像を気軽に電子メールへ添付したりパソコン等に送信して利用するといったことができるようになった。
【０００３】
しかし、カメラ付き携帯電話機によって、デジタル写真をより気軽に撮影し利用することができるようになった反面、撮影していることが分かり難く、撮影を望まない人がいつの間にか撮影されてしまい不愉快な思いをするケースや、盗撮によって撮影禁止の被写体の画像を公開されて著作権が侵害されるケースが多くなっている。
【０００４】
こうした問題を未然に防ぐために、従来、カメラ付き携帯電話機等の撮影装置に撮影そのものを制限する技術が提案されている。例えば、撮影を禁止したい対象物や禁止区域に撮影禁止信号を発信する撮影禁止信号装置を設置し、撮影装置が撮影禁止信号を受信した場合に映像データの出力を停止することで撮影を制限するものが知られている（例えば、特許文献１参照。）。
【特許文献１】特開２０００−１５２２１７号公報
【発明の開示】
【発明が解決しようとする課題】
【０００５】
ところで、事故や犯罪を目撃した場合に警察や消防へ緊急通報する際に、カメラ付き携帯電話機で現場を撮影することは状況を適確に記録するばかりでなく、事故や犯罪の解決の手助けともなり極めて有効である事が知られている。しかし、前述のような従来の技術が普及した場合、カメラ付き携帯電話機が撮影禁止信号を受信している場合には、こうした利点を発揮することができなくなる。
【０００６】
本発明はこうした不具合を考慮してなされたものであり、その目的とするところは、緊急時において優先して撮影と緊急通報とを実行できるように制御する画像撮影制御装置を実現することである。
【課題を解決するための手段】
【０００７】
上記課題を解決するために、請求項１に記載の発明の画像撮影制御装置（例えば、図１のカメラ付き携帯電話機１２００）は、無線通信手段（例えば、図１の無線通信モジュール１２０６、近距離無線通信モジュール１２０７、図２の携帯電話通信部２６３、近距離無線通信部２６４）と、ユーザによる撮影操作の入力に応じて電子的に画像を撮影する撮影手段（例えば、図１のカメラモジュール１２０２、図２の撮影部２５０、図３のステップＳ８）と、所定の緊急実行操作が入力された場合に、前記撮影手段に撮影を実行させ、前記無線通信手段に対して予め登録されている警察又は消防の送信先（例えば、図１の緊急通報受信サーバ装置１３００）に前記撮影した画像を送信させる制御を行う緊急通信制御手段（例えば、図２のＣＰＵ２１０、図３のステップＳ２０；ＹＥＳ→Ｓ２４〜Ｓ３６）と、を備えることを特徴とする。
【０００８】
また、請求項４に記載の発明のプログラムは、無線通信手段（例えば、図１の無線通信モジュール１２０６、近距離無線通信モジュール１２０７、図２の携帯電話通信部２６３、近距離無線通信部２６４）と、ユーザによる撮影操作の入力に応じて電子的に画像を撮影する撮影手段（例えば、図１のカメラモジュール１２０２、図２の撮影部２５０、図３のステップＳ８）と、を備えたコンピュータ（例えば、図１のカメラ付き携帯電話機１２００、制御ユニット１２２０）に、所定の緊急実行操作が入力された場合に、前記撮影手段に撮影を実行させ、前記無線通信手段に対して予め登録されている警察又は消防の送信先に前記撮影した画像を送信させる制御を行う緊急通信制御機能（例えば、図２のＣＰＵ２１０、図３のステップＳ２０；ＹＥＳ→Ｓ２４〜Ｓ３６）と、を実現させることを特徴とする。
【０００９】
請求項１又は４に記載の発明によれば、所定の緊急実行操作が入力された場合、自動的に撮影を実行し、撮影した画像を警察又は消防の送信先に送信することができる。したがって、撮影禁止が課せられているか否かにかかわらず、緊急通報と共に現場の様子を撮影した画像を送信することができる。
【００１０】
より好適には、請求項２に記載の発明のように、請求項１に記載の画像撮影制御装置であって、緊急ボタン（例えば、図１の緊急撮影ボタン１２１３）を備え、前記所定の緊急実行操作を前記緊急ボタンの押下操作としても良い。この場合、請求項１に記載の発明と同様の効果を奏するとともに、ボタンを押下する一動作で操作が済むので、気が動転し易い状況でも確実に操作できる。
【００１１】
或いは、請求項３に記載の発明のように、請求項１に記載の撮影装置であって、前記所定の緊急実行操作を、警察又は消防の緊急通報先電話番号の入力操作としても良い。この場合、請求項１に記載の発明と同様の効果を奏するとともに、一般的に緊急時には「１１０」又は「１１９」をダイヤルするといった基本行動が擦り込まれているので、気が動転し易い状況でも操作に悩むことなく確実に操作できる。
【００１２】
請求項５に記載の発明の画像撮影制御装置（例えば、図１のカメラ付き携帯電話機１２００）は、無線通信手段（例えば、図１の無線通信モジュール１２０６、近距離無線通信モジュール１２０７、図２の携帯電話通信部２６３、近距離無線通信部２６４）と、ユーザによる撮影操作の入力に応じて電子的に画像を撮影する撮影手段（例えば、図１のカメラモジュール１２０２、図２の撮影部２５０、図３のステップＳ８）と、通常撮影操作が行われた際は、外部から撮影拒否を受けているか否かを判断し、撮影拒否を受けていると判断した場合には前記撮影手段による撮影を制限させ、緊急撮影操作が行われた際は、外部から撮影拒否を受けているか否かにかかわらず、前記撮影手段に撮影を実行させ、前記無線通信手段に対して予め登録されている送信先（例えば、図１の緊急通報受信サーバ装置１３００）に前記撮影した画像を送信させる制御を行う制御手段（例えば、図２のＣＰＵ２１０、図３のステップＳ２〜Ｓ３６）と、を備えることを特徴とする。
【００１３】
また、請求項６に記載の発明のプログラムは、無線通信手段（例えば、図１の無線通信モジュール１２０６、近距離無線通信モジュール１２０７、図２の携帯電話通信部２６３、近距離無線通信部２６４）と、ユーザによる撮影操作の入力に応じて電子的に画像を撮影する撮影手段（例えば、図１のカメラモジュール１２０２、図２の撮影部２５０、図３のステップＳ８）とを備えたコンピュータに、通常撮影操作が行われた際は、外部から撮影拒否を受けているか否かを判断し、撮影拒否を受けていると判断した場合には前記撮影手段に撮影を制限させ、緊急撮影操作が行われた際は、外部から撮影拒否を受けているか否かにかかわらず、前記撮影手段に撮影を実行させ、前記無線通信手段に対して予め登録されている送信先に前記撮影した画像を送信させる制御を行う制御機能（例えば、図２のＣＰＵ２１０、図３のステップＳ２〜Ｓ３６）を実現させることを特徴とする。
【００１４】
請求項５又は６に記載の発明によれば、通常の撮影操作が行われたが、外部から撮影拒否を受けている場合には、撮影機能を制限することができる。しかし、その一方で、緊急撮影操作が行われた場合には、外部からの撮影拒否の有無に係らず撮影を実行して、予め登録されている通信先に、撮影した画像を送信することができる。したがって、撮影禁止が課せられているか否かにかかわらず、緊急通報と共に現場の様子を撮影した画像を送信することができる。
【発明の効果】
【００１５】
本発明によれば、所定の緊急実行操作が入力された場合、自動的に撮影を実行し、撮影した画像を警察又は消防の送信先に送信することができる。したがって、撮影禁止が課せられているか否かにかかわらず、緊急通報と共に現場の様子を撮影した画像を送信することができる。
【００１６】
更に、緊急実行操作を緊急ボタンの押下、または警察又は消防の緊急通報先電話番号の入力とすることによって、気が動転し易い状況でも操作に悩むことなく確実に操作できるようにできる。
【発明を実施するための最良の形態】
【００１７】
本発明を実施するための最良の形態として、撮影装置の一つである「カメラ付き携帯電話機」で交通事故の緊急通報をする場合を例に挙げて説明する。尚、本発明はカメラ付き携帯電話機に限らず、通信機能を有するデジタルカメラ、デジタル撮影機能を有するＰＨＳ（Personal Handyphone System）端末やパソコンやＰＤＡ（Personal Digital Assistant）及び携帯用ゲーム機、といったその他の電子装置にも同様に適用可能である。
【００１８】
〔第１実施形態〕
図１は、本発明の第１実施形態におけるシステム構成の一例を示す図である。同図に示すように、カメラ付き携帯電話機１２００のユーザは、子供４と自動車６との交通事故の現場に居合わせ、カメラ付き携帯電話機１２００で事故の現場を撮影して警察又は消防に緊急通報する。
【００１９】
子供４と自動車６の運転手８は、携帯電話機１１００ａ及び１１００ｂをそれぞれ所持している。携帯電話機１１００ａ，１１００ｂは、基本的に従来の携帯電話機と同様のものであるが、特には近距離無線通信モジュール１１０７を備え、無線通信範囲に入ったカメラ付き携帯電話機１２００とアドホックな通信ネットワークを形成する。そして、設定にしたがって撮影拒否信号をカメラ付き携帯電話機１２００に送信して、カメラ付き携帯電話機１２００に撮影に係る機能を制限させることができる。尚、携帯電話機１１００は、ＰＨＳ端末やＰＤＡ、パソコン、携帯用ゲーム装置、腕時計、関数電卓、電子辞書、ＥＴＣ端末と言った電子機器であっても良い。
【００２０】
カメラ付き携帯電話機１２００は、光学レンズやＣＣＤ（Charge Coupled Diode）素子などを備えたカメラモジュール１２０２と、撮影された画像のプレビューや各種操作画面等を表示するディスプレイ１２０４と、携帯電話網の基地局と無線通信する無線通信モジュール１２０６と、比較的近距離の機器とアドホックな通信ネットワークを形成するための近距離無線通信モジュール１２０７と、位置情報を検出するための基準電波を受信し位置情報を取得する測位モジュール１２０９とを備える。
また、ダイヤルや撮影操作を入力する操作入力キー１２１０と、着脱自在なメモリカード１２１２へのデータの読み書きが可能なスロット１２１４と、スピーカ１２１８と、マイク１２１６と、ＣＰＵ（Central  Processing  Unit）及び各種ＩＣメモリ等を搭載し演算処理によって装置を統合的に制御する制御ユニット１２２０と、電源部（図示略）とを備える。
【００２１】
操作入力キー１２１０には、通常の撮影操作を入力する通常撮影ボタン１２１１と、緊急撮影ボタン１２１３とが設けられている。
通常撮影ボタン１２１１が操作入力された場合、制御ユニット１２２０は、近距離無線通信モジュール１２０７で携帯電話機１１００ａ又は１１００ｂから撮影拒否信号を受信したか否かを判定し、受信した場合にはカメラモジュール１２０２による撮影を禁止するように制御する。撮影拒否信号を受信しなかった場合には、カメラモジュール１２０２に搭載されたＣＣＤ素子で取得された輝度情報に基づいて画像データを作成し、この画像データをメモリカード１２１２に記憶させ保存することによって画像を撮影する。
【００２２】
一方、緊急撮影ボタン１２１３の押下を含む所定の緊急操作が入力された場合、制御ユニット１２２０は、携帯電話機１１００ａ及び１１００ｂから撮影拒否信号を受信している場合であってもこれを無効とし、カメラモジュール１２０２による撮影を実行可能とする。そして、無線通信モジュール１２０６で通信回線２を介して、予め設定されている警察や消防の緊急通報受信サーバ装置１３００にアクセスし、自動的に緊急通報情報５を送信して緊急通報する。
【００２３】
緊急通報情報５には、例えば予め登録しておいた通報者の氏名や連絡先などの通報者情報２４４と、測位モジュール１２０９で取得した位置情報２２３と、カメラモジュール１２０２で撮影した撮影画像データ２７３とが含まれる。制御ユニット１２２０の内部時計機能による日時情報を含むとしても良い。
【００２４】
[機能ブロックの説明]
図２は、本実施形態におけるカメラ付き携帯電話機１２００の機能構成の一例を示す機能ブロック図である。同図に示すように、カメラ付き携帯電話機１２００は、ＣＰＵ２１０と、送話部２１２と、受話部２１４と、操作入力部２１６と、表示部２１８と、ＲＡＭ（Random Access Memory）２２０と、ＲＯＭ（Read  Only  Memory）２３０と、内蔵フラッシュメモリ２４０と、撮影部２５０と、位置情報取得部２５４と、通信回線２を介して外部装置２６２とデータ通信可能とする通信部２６０と、記憶媒体２７２へのデータの読み書きを行う記憶媒体読取部２７０とを備える。そして、これらはデータバス２８０によって接続されている。
【００２５】
ＣＰＵ２１０は、ＲＯＭ２３０や記憶媒体２７２に記憶されている各種のプログラムやデータを読み出し、ＲＡＭ２２０を一時的な記憶領域にしながら演算処理することによって、上記各機能ブロックを制御してカメラ付き携帯電話機１２００を統合的に制御する。
【００２６】
ＲＡＭ２２０は、書き換え可能な半導体素子で構成されており、ＣＰＵ２１０が実行する各種プログラムやこれらプログラムにより処理されたデータなどを一時的に記憶する。具体的には、ＲＡＭ２２０は、撮影部２５０で撮影された画像データを一時的に記憶する撮影画像データ記憶領域２２１Ｒと、位置情報２２３を記憶する位置情報記憶領域２２３Ｒとを有する。
【００２７】
ＲＯＭ２３０は、ＣＰＵ２１０に携帯電話機としての基本的な諸機能を実現させるためのシステムプログラム２３１と、ＣＰＵ２１０に撮影に関する種々の機能制限を実現させるための撮影プログラム２３２とを記憶している。
【００２８】
内蔵フラッシュメモリ２４０は、何度でも電気的に記憶の消去・書き込みができるＲＯＭの一種であって、例えばＮＯＲ型フラッシュメモリによって実現される。本実施形態では、緊急通報先情報２４２と、通報者情報２４４とを記憶している。
【００２９】
緊急通報先情報２４２は、メーカ等によって予め設定される情報であって、警察又は消防の緊急通報受信サーバ装置１３００に通信回線２を介してアクセスするためのアドレスやネゴシエーションに必要な情報を格納している。
通報者情報２４４は、ユーザが所定の設定手続きによって予め設定する情報であって、例えば、ユーザの氏名や、電話番号や住所と言った連絡先情報を格納している。
【００３０】
送話部２１２と受話部２１４は、電話機としての送話音声を音声入力する手段と受話部受話音声を音声出力する手段である。それぞれ、図１のマイク１２１６、スピーカ１２１８がこれに該当する。
【００３１】
操作入力部２１６は、ユーザによる各種の入力を受け付け、操作入力信号をＣＰＵ２１０に出力する。具体的には、ボタンスイッチ、レバー、ジョグダイヤル、タッチパネルによって実現することができる。操作入力部２１６は、撮影拒否信号の受信／未受信に係らず撮影の実行と緊急通報の実行をさせる操作を入力するための緊急撮影操作部２１７を有する。図１では、操作入力部２１６は操作入力キー１２１０に該当し、緊急撮影操作部２１７は緊急撮影ボタン１２１３に該当する。
【００３２】
表示部２１８は、撮影部２５０で撮影されるファインダー画像や、撮影された画像のプレビュー、各種操作画面、テキスト、図形などを表示出力する。具体的には、ＬＣＤ（Liquid Crystal Display）やＥＬＤ（Electronic Luminescent Display）といった表示素子やこれらのドライバ回路、表示用のバッファメモリによって実現される。図１では、ディスプレイ１２０４がこれに該当する。
【００３３】
撮影部２５０は、ガラスやプラスチックなどからなる光学レンズと、ＣＣＤ（Charge Coupled Device）やＣＭＯＳ（Complementary Metal Oxide Semiconductor）などの撮像素子、及びタイミングジェネレータなどから構成されており、光学レンズを介して入力される被写体の像を撮像素子で電気信号に変換し、画像データを生成する。図１ではカメラモジュール１２０２がこれに該当する。
【００３４】
位置情報取得部２５４は、位置情報（例えば、緯度や経度、高度）を検出するための電波を受信して、現在の位置情報を算出してＣＰＵ２１０に出力する。例えば、ＧＰＳ（Global Positioning System）衛星からの電波を受信するアンテナ又は予め位置情報が分かっている基地局からの電波を受信するアンテナ、及びアンテナで受信した電波に基づいて位置情報を算出する演算ユニット等によって実現される。図１では、測位モジュール１２０９がこれに該当する。
【００３５】
通信部２６０は、携帯電話のサービス事業者が設置した無線基地局との間で無線通信をおこなうアンテナ及びＲＦ変換器等によって実現される携帯電話通信部２６３と、ＩＥＥＥ８０２．１１によるワイヤレスＬＡＮ規格やBluetooth（登録商標）によって実現される近距離無線通信部２６４とを含む。図１では、前者が無線通信モジュール１２０６、後者が近距離無線通信モジュール１２０７に該当する。
【００３６】
記憶媒体２７２は、撮影された画像のデータや各種のプログラムやデータを記憶する。具体的には、フラッシュメモリなど着脱自在型な情報記憶媒体によって実現される。図１では、メモリカード１２１２がこれに該当する。記憶媒体２７２には、撮影部２５０で撮影された撮影画像データ２７３が記憶される。
【００３７】
記憶媒体読取部２７０は、記憶媒体２７２へのデータの書き込みやデータの読み出しをする。具体的には、記憶媒体２７２のメディアの種類に応じた読み書き装置及びそのドライバ回路等によって実現される。図１では、スロット１２１４がこれに該当する。
【００３８】
［処理の流れの説明］
図３は、本実施形態におけるカメラ付き携帯電話機１２００の撮影処理の流れを説明するためのフローチャートである。ここで説明される処理は、ＣＰＵ２１０が撮影プログラム２３２を読み出して実行することによって実現される。
【００３９】
同図に示すように、ＣＰＵ２１０は、通常撮影ボタン１２１１が押下された場合（ステップＳ２；通常）、近距離無線通信部２６４で撮影拒否信号を受信したか否かを判定する（ステップＳ４）。
近距離無線通信部２６４で撮影拒否信号を受信した場合（ステップＳ４；ＹＥＳ）、ＣＰＵ２１０は、撮影機能を制限するように制御する（ステップＳ６）。すなわち、通常撮影ボタン１２１１が押下されても撮影はされない。撮影拒否信号を受信していなければ（ステップＳ４；ＮＯ）、撮影機能に制限はされない。すなわち、通常撮影ボタン１２１１が押下された瞬間に撮影を実行し（ステップＳ８）、撮影した画像を記憶媒体２７２に保存する（ステップＳ１０）。
【００４０】
一方、緊急撮影ボタン１２１３が押下された場合と（ステップＳ２０；ＹＥＳ）、操作入力部２１６から緊急通報電話番号「１１０」又は「１１９」が入力されて所定時間内に通常撮影ボタン１２１１が押下された場合には（ステップＳ２２；ＹＥＳ）、ＣＰＵ２１０は、近距離無線通信部２６４で撮影拒否信号を受信したか否かは判定せず、また撮影機能の制限は行わずに、撮影を実行する（ステップＳ２４）。ここで撮影された画像は一旦、ＲＡＭ２２０の撮影画像データ記憶領域２２１Ｒに格納される。
【００４１】
次に、記憶媒体２７２に撮影画像データ記憶領域２２１Ｒに格納された撮影画像データを保存できるだけの十分な空領域が有るか否かを判定する（ステップＳ２６）。空領域が不足する場合には（ステップＳ２６；ＮＯ）、記憶媒体２７２に既に保存されている画像データの内、適当数をランダムに選択して消去し、空領域を確保する（ステップＳ２８）。そして、撮影画像データ記憶領域２２１Ｒに格納していたデータを撮影画像データ２７３として保存する（ステップＳ３０）。
【００４２】
次いで、ＣＰＵ２１０は位置情報取得部２５４から現在の位置情報を取得し、これをＲＡＭ２２０の位置情報記憶領域２２３Ｒに格納する（ステップＳ３２）。
【００４３】
次に、ＣＰＵ２１０は、通信部２６０で警察又は消防の緊急通報受信サーバ装置１３００にアクセスする（ステップＳ３４）。具体的には、例えば公知のインターネット接続サービスを利用して、緊急通報先情報２４２の設定に基づいてアクセスする。そして、ＣＰＵ２１０は、緊急通報受信サーバ装置１３００に、撮影画像データ２７３を含む緊急通報情報５を送信して（ステップＳ３６）、撮影処理を終了する。
【００４４】
以上の処理によって、撮影拒否信号を受信し、通常であれば撮影が制限される状況であっても、撮影を実行し、撮影した画像を所定の緊急通報先に送信できる。しかも、その操作は緊急撮影ボタン１２１３を押下するだけといった簡単な操作であるので、気が動転し易い場合でも確実に操作できる。
また、一般的に事件や事故が有った場合には先ず「１１０」か「１１９」をダイヤルして通報するといった習慣があるが、本実施形態によれば「緊急通報先に撮影した画像を送って通報する」イメージを「緊急通報電話番号の入力」＋「通常撮影ボタンの操作」といった直感的な操作組み合わせによって撮影と通報とを実行できるので、気が動転し易い場合でも更に確実に操作できる。
【００４５】
尚、緊急通報情報５には撮影画像データ２７３のみではなく、マイク１２１６で集音された音データを含める構成としても良いのは勿論である。その場合、例えば、緊急撮影ボタン１２１３が押下されて所定時間の間、マイク１２１６で集音された音をサンプリングして一時的にＲＡＭ２２０に記憶させ、緊急通報情報５に含めて緊急通報受信サーバ装置１３００に送信する。
【００４６】
〔第２実施形態〕
次に、本発明の第２実施形態について説明する。本実施形態は基本的に第１実施形態と同様の構成要素によって実現されるが、操作入力キー１２１０から緊急通報電話番号「１１０」又は「１１９」を入力することによって、撮影拒否信号の受信／未受信にかかわらず緊急撮影と緊急通報を実施する点において異なる。尚、第１実施形態と同様の構成要素については、同じ符号を付け説明を省略するものとする。
【００４７】
図４は、本実施形態におけるカメラ付き携帯電話機１２００の機能構成の一例を示すブロック図である。同図に示すように、基本的に第１実施形態と同様にして実現される。特には、ＲＯＭ２３０では第１実施形態における撮影プログラム２３２に相当する自動撮影プログラム２３４が記憶されている。
【００４８】
図５は、本実施形態におけるカメラ付き携帯電話機１２００の撮影処理の流れについて説明するためのフローチャートである。ここで説明される処理は、ＣＰＵ２１０が自動撮影プログラム２３４を読み出して実行することによって実現される。
【００４９】
同図に示すように、ＣＰＵ２１０は、操作入力部２１６から緊急通報電話番号「１１０」又は「１１９」が入力されたのを検知したならば（ステップＳ５０）、所定時間経過するのをカウントし、カウントダウンを表示部２１８に表示して報知する（ステップＳ５２）。そして、カウント終了までに操作入力キー１２１０のいわゆる「通話ボタン」が押下されていない場合（ステップＳ５４；ＮＯ→Ｓ５６；ＹＥＳ）、緊急通報用の自動撮影を実行するものと判断し、撮影操作の検知無しに自動的に撮影を実行する（ステップＳ５８）。そして、第１実施形態と同様にして、記憶媒体２７２に空領域を確保して、撮影した画像を保存し（ステップＳ２６〜Ｓ３０）、位置情報を取得した後に警察又は消防の緊急通報受信サーバ装置１３００にアクセスして緊急通報情報５を送信する（ステップＳ３２〜Ｓ３６）。
【００５０】
一方、カウントが終了する前に「通話ボタン」が押下された場合（ステップＳ５４；ＹＥＳ）、従来の電話による緊急通報が選択されたものと判断して、携帯電話通信部２６３で警察又は消防の緊急通報先に電話を繋ぐ（ステップＳ６０）。
【００５１】
したがって、本実施形態によれば、操作入力キー１２１０で緊急通報電話番号を入力すれば、撮影拒否信号の受信如何に係らず撮影を実行して緊急通報先に送信することができる。また、従来通りのオペレータと対話する形式の緊急通報（１１０番通報など）を望む場合には、緊急通報電話番号を入力した後に従来と同様に所定の通話ボタンを押下すれば良い。このように、緊急通報電話番号の入力を契機とすることによって、直感的な操作で緊急時の撮影と通報とを可能とし、気が動転し易い場合でも確実に操作できるようにできる。
【００５２】
〔変形例の説明〕
以上、本発明の第１及び第２実施形態について説明したが、本発明がこれらに限定されるものではなく、発明の趣旨を逸脱せず同様の作用・効果が得られる限りにおいて、適宜構成要素の追加・削除・変更を行っても構わない。
【００５３】
例えば、カメラ付き携帯電話機１２００を人間が所持しているものとして説明したが、交差点、金融機関の出入口など事故や事件の発生し易い場所に固定的に設置する装置としても良い。その場合、カメラモジュール１２０２のレンズは交差点や強盗の予想逃走経路を向いているのが望ましい。
【００５４】
また、カメラ付き携帯電話機１２００及び携帯電話機１１００が、それぞれの位置情報を取得する方法を、それぞれが具備するＧＰＳ等を用いる構成としたがこれに限らない。例えば、カメラ付き携帯電話機１２００及び携帯電話機１１００へ携帯電話サービスを提供する事業者等が提供する位置情報サービスを利用する構成としても良い。
【図面の簡単な説明】
【００５５】
【図１】第１実施形態におけるシステム構成の一例を示す図。
【図２】第１実施形態におけるカメラ付き携帯電話機の機能構成の一例を示す機能ブロック図。
【図３】第１実施形態におけるカメラ付き携帯電話機の撮影処理の流れを説明するためのフローチャート。
【図４】第２実施形態におけるカメラ付き携帯電話機の機能構成の一例を示すブロック図。
【図５】第２実施形態におけるカメラ付き携帯電話機の撮影処理の流れについて説明するためのフローチャート。
【符号の説明】
【００５６】
５  緊急通報情報
２１０  ＣＰＵ
２１６  操作入力部
２１７  緊急撮影操作部
２２０  ＲＡＭ
２２１Ｒ  撮影画像データ記憶領域
２２３Ｒ  位置情報記憶領域
２３０  ＲＯＭ
２３２  撮影プログラム
２３４  自動撮影プログラム
２４０  内蔵フラッシュメモリ
２４２  緊急通報先情報
２４４  通報者情報
２５０  撮影部
２５４  位置情報取得部
２６０  通信部
２６３  携帯電話通信部
２６４  近距離無線通信部
２７２  記憶媒体
２７３  撮影画像データ
１１００ａ，１１００ｂ  携帯電話機
１２００  カメラ付き携帯電話機
１２０２  カメラモジュール
１２０７  近距離無線通信モジュール
１２０９  測位モジュール
１２１０  操作入力キー
１２１１  通常撮影ボタン
１２１３  緊急撮影ボタン
１３００  緊急通報受信サーバ装置
【図１】
2005136605.tif 000003
【図２】
2005136605.tif 000004
【図３】
2005136605.tif 000005
【図４】
2005136605.tif 000006
【図５】
2005136605.tif 000007